(57)【要約】【課題】箱型のスピーカシステムは、置かれる部屋のスペースを占有し、部屋の中に置かれるインテリア家具との調和も悪く、部屋の美観を甚だしく害するものである。とくに、マルチチャンネル音響システムでは、多くのスピーカシステムを必要とし、問題が多かった。【解決手段】この問題を解決する手段として、インテリア家具の一つである照明用電気スタンドの光源を支える中空の支持部の上面開口部に水平にスピーカユニットを挿入固定し、前記スピーカユニットの上部に水平方向に音響を放射する音響拡散放射器を固定した。音響拡散放射器は水平方向に音響を拡散するため、周囲の構造物に影響されない良好な音質の音響を放出できる。これにより、照明用電気スタンドとスピーカが一体化されることになり、省スペースと美観の向上ができる効果がある。【選択図】      図１
2005341514.tif 000002
【特許請求の範囲】
【請求項１】
照明用光源部と、
前記照明用光源部を支える中空の支持部と、
下部が前記支持部に挿入され、スピーカ取付け板に水平に取付けられたスピーカユニットと、
前記取付板の上部に固定された前記スピーカユニットからの音響を水平方向に放射する音響拡散放射器と、
から構成されることを特徴とするスピーカを内蔵した照明用電気スタンド。
【請求項２】
請求項１において、前記スピーカユニットの底面にデッドマスを取付けたことを特徴とするスピーカを内蔵した照明用電気スタンド。
【請求項３】
請求項１において、前記支持部の内壁に音響緩衝材を貼りつけたことを特徴とするスピーカを内蔵した照明用電気スタンド。
【請求項４】
請求項１において、前記支持部内に前記スピーカユニット駆動用増幅器と前記増幅器の電源回路を内蔵したことを特徴とするスピーカを内蔵した照明用電気スタンド。
【請求項５】
請求項１において、前記支持部内にラジオ受信機を内蔵したことを特徴とするスピーカを内蔵した照明用電気スタンド。
【請求項６】
請求項１において、前記支持部が絵付けした陶器であることを特徴とするスピーカを内蔵した照明用電気スタンド。
【発明の詳細な説明】
【技術分野】
【０００１】  本発明は、音響スピーカを内蔵した通常の照明用電気スタンドに関する。
【背景技術】
【０００２】  インテリア家具を兼ねた中空の支持部に支えられた笠付光源をもった照明用電気スタンドがあった。
【発明の開示】
【発明が解決しようとしている課題】
【０００３】  音響用スピーカは、ほとんどの映像・音声機器に使われていて、その種類も用途により様々なものがある。例えば、テレビジョン受像機、ラジオ付カッセトレコーダなどの機器に内蔵されるものからステレオ装置のように機器とは別に独立した箱型スピーカシステム、そしてマルチチャンネル音響システムのように６個以上の箱型スピーカシステムを必要とするものもある。箱型のスピーカシステムは、置かれる部屋のスペースを占有する。とくに、マルチチャンネル音響システムでは、多くのスピーカシステムを必要とし、部屋の有効スペースを少なくする。また、スピーカシステムは、部屋の中に置かれるインテリア家具との調和も悪く、部屋の美観を甚だしく害するものである。
【課題を解決するための手段】
【０００４】  この問題を解決する手段として、インテリア家具の一つである照明用電気スタンドの光源を支える中空の支持部に音源となるスピーカユニットを挿入し、スピーカユニットの上面に音響を水平方向に放射する音響拡散放射器を取付けた。これにより、照明用電気スタンドとスピーカが一体化されることにより課題を解決した。
【発明の効果】
【０００５】  照明用電気スタンドの支持部に水平方向拡散放射型スピーカを一体化したことにより、従来の照明用電気スタンドのインテリア家具としての美観を損なうことなく、音響を再生し、且つ従来スピーカシステムが占有していた部屋の有効スペースを広げる効果がある。
さらに、水平方向拡散放射型スピーカからの音響は周囲の構造物に影響されず、高音質である。
【発明を実施するための最良の形態】
【０００６】図１は本発明によるスピーカを内蔵した照明用電気スタンドの断面図を示すものである。図１の１は電球で、電球用ソケット２により電源が供給され、電気笠３により覆われている。電球１、電球用ソケット２、電気笠３は、照明用電気スタンドの照明光源部を構成するもので、一般に使用されているものと何ら変わりはない。なお、７は照明用電気スタンドのベースで、これも一般に使用されているものと変わりはない。【０００７】  前記の照明用光源部を支える支持部は、上部が開口された中空の円筒４と音響スピーカ部５より構成される。中空の円筒４も、後述するバスレフ効果をもたせるため、下部側面にあけた穴バスレフポート６以外は、一般に使われている照明用電気スタンドのものと変わりない。【０００８】  図２は音響スピーカ部５を照明用電気スタンドの正面から見たものである。スピーカユニット８はスピーカ取付け板９に固定され、クッション１０を介して水平に置かれている。
前記スピーカユニットの下部は中空の円筒４に挿入される。また、スピーカユニットの底面に重量のあるデッドマスを取付ければ、音響スピーカ部を中空の円筒に挿入した時、音質改善と同時によりよく固定することができる効果がある。【０００９】スピーカ取付け板９の上部には、電球用ソケット２を上の面に、下の面に音響拡散放射器を取付けた上板１１が、それぞれ支持棒１３によりに固定されている。音響拡散放射器１２はスピーカから垂直上方に発せられた音響を水平方向に変換して照明用電気スタンドの周囲に図１に示すように拡散放射するもので、三角錐の形状である。なお。音響拡散放射器は上記に限らす、音響を水平方向へ拡散するものであれば上記三角錐形状に限るものではない。
スピーカから発せられた音響は音響拡散放射器により、照明用電気スタンドの周囲に無指向性で拡散される。この方式の特長は水平方向に取付けられたスピーカからの音響を他の構造物に影響されず、特性の変化なしに放出できることにある。また、音響の放射が無指向性であるため、照明用電気スタンドが部屋のどこにでも置けると言う効果もある。
さらに、音響拡散放射器の採用は、本発明にとっても都合がよい。音響拡散放射器の開口部は円弧形状のため、円筒形の支持部に違和感なく収容できる効果もある。
また、スピーカユニット８と音響拡散放射器１２から構成される音響スピーカ部５を円筒４に挿入すると、音響スピーカ部の上に取付けられる照明光源部を一体化して固定できる。【００１０】  照明用電気スタンドの電球への電源供給線１４は、図２に示すように音響スピーカ部にあけたたて孔を通っている。以上の構造により、照明用電気スタンドが形成される。【００１１】  なお、円筒の大きさにより、スピーカの大きさも決まるため、音響箱としての大きさが十分でなく、低音域が劣化するときは、円筒４の下部側面もしくは底面に穴をあけ、バスレフポートを取付ければ、低音域の特性は改善される。また、円筒４の内壁にフェルトのような音緩衝材を貼りつければ、より音質を改善できる。【００１２】  スピーカを内蔵した照明電気スタンドには、元々電源供給線が入っているため、これを利用して増幅器と増幅器用電源を円筒４の中に設けスピーカユニットを駆動してもよい。【００１３】  また、円筒４の中にラジオ受信機を内蔵し、照明用電源とラジオ受信機の電源スイッチを共用すれば、ベッドサイドの照明用電気スタンドとして便利である。【００１４】  本発明では、円筒４の素材については、何ら制約するものではないが、円筒４を絵付けした陶磁器とすれば、インテリアとしての美観を向上できる効果もある。
【図面の簡単な説明】
【００１５】
【図１】本発明による一実施形態を示す断面図である。
【図２】本発明による音響ホーンと音響ホーンに取付けもれたスピーカユニットを示す図である
【符号の説明】
【００１６】１    電球
２    電球用ソケット
３    電気笠
４    中空の円筒
５    音響スピーカ部
６    バスレフポート
７    照明電気スタンド用ベース
８    スピーカユニット
９    スピーカ取付け板
１０  クッション
１１  上板
１２  音響拡散放射器
１３  支持棒
１４  電源供給線
【図１】
2005341514.tif 000003
【図２】
2005341514.tif 000004